(57)【要約】【課題】お風呂場という特殊な場所において使用するにあたり、その興趣を高めるとともに、収納・梱包の際に必要以上に嵩張らない耐水性絵本を提供する。【解決手段】耐水性を備えかつ柔軟性を備えた素材からなるシート３を重ね併せ縁部を溶着して構成される密封袋の中に薄板上状のスポンジ４を封入してなるページ体２を複数枚綴ってなる耐水性の絵本１において、表表紙２１のページ略中央部分に笛５を封入し、裏表紙２２の天１２と前小口１３とが交差する角１４の近傍に、管部６ｂを、端部がページ体２の外部に露出するようにページ体２の縁部溶着の際に挟み込んで溶着することで固定されたスポイト６を封入する。ページの面と直交する方向で笛５とスポイト６とが重ならず、かつ表表紙２１と裏表紙２２とに挟まれた複数のページ体２・・・２が変形することで各表紙外側の出っ張りが必要以上に生じない。【選択図】図１
0003122359.tif 000002
【実用新案登録請求の範囲】
【請求項１】
耐水性を備えかつ柔軟性を備えた素材からなるシートを重ね併せ、縁部を溶着して密封袋を構成し、前記密封袋の中には薄板状のスポンジを封入してなるページ体を、複数枚綴ってなる耐水性絵本であって、
前記複数枚のページ体の外表面又は内表面には絵本の内容に応じた文字や絵が描かれており、
前記ページ体のうち少なくとも１枚には、前記薄板状のスポンジに加え、
中空部を有し弾性復元性を有する素材からなる空気だまり部と、
前記空気だまり部に備えられた通気口に連接され、前記空気だまり部の押圧又は押圧後の復元により生じる前記通気口を通じた前記空気だまり部からの空気の排出又は前記空気だまり部への空気の流入により音を発生する発音部材とからなる笛が封入されている
ことを特徴とする耐水性絵本。
【請求項２】
前記笛が封入されているページ体以外の少なくとも１枚のページ体に、
中空部を有し弾性復元性を有する素材からなる水たまり部と、一方端が前記水たまり部に連接された管部とからなるスポイトが封入されており、
前記スポイトが封入されているページ体の縁部を溶着する際に複数枚の前記シートが前記管部を挟み込んで密着し、かつ管部の他方端が外部に露出するように溶着される形で封入されている
ことを特徴とする、請求項１に記載の耐水性絵本。
【請求項３】
前記空気だまり部と前記水たまり部とは、該耐水性絵本を閉じた状態にあっては、重なり合う各ページ体の面に直交する方向において重ならない位置に配されていることを特徴とする、請求項２に記載の耐水性絵本。
【請求項４】
前記笛は、封入されているページ体の略中央に配され、
前記スポイトは、封入されているページ体の、天と前小口とが交差する角の近傍に配されていることを特徴とする、
請求項１から請求項３のいずれかに記載の耐水性絵本。
【請求項５】
前記笛が封入されたページ体と前記スポイトが封入されたページ体は、各々表表紙及び裏表紙のいずれか一方を構成することを特徴とする、
請求項１から請求項４のいずれかに記載の耐水性絵本。
【請求項６】
前記笛が封入されたページ体及び前記スポイトが封入されたページ体に各々封入されている前記薄板状のスポンジが、それ以外のページ体に封入されている前記薄板状のスポンジよりも厚手であることを特徴とする、請求項１から請求項５のいずれかに記載の耐水性絵本。
【考案の詳細な説明】
【技術分野】
【０００１】
この考案は、耐水性を有し、お風呂の中でも幼児が読んで楽しむことのできる絵本に関する。
【背景技術】
【０００２】
幼児教育において絵本は、幼児の創造性を育む手段、ものや事柄の名前や呼び方を知り、身につけさせる手段、文字や文章に触れる手段、更には親などの保護者が読み聞かせることにより親密なコミュニケーションを図る手段として極めて重要な役割を担っている。
【０００３】
絵本には、昔ばなしや童話などの物語を挿絵と文字で表したもののほか、いわゆる知育、すなわち知性を育むことを目的として、単に読むだけでなく聞いたり触ったりすることを促し、幼児に五感を通じて絵本の内容に親しんでもらうことを狙ったものも多く存在する。殊に、知育に対する保護者の意識は年々高まってきており、そのツールの一つである絵本の活用の場面は、育児部屋の中にとどまらず、生活の様々な場面、例えば入浴の場面にも及んでいる。こうした保護者のニーズに応じて、風呂場の中でも使用することができる絵本が開発されており、例えば特許文献１及び特許文献２に明らかにされている。
【０００４】
特許文献１には、お湯に漬けると熱によって絵や文字が色を変える絵本が開示されている。また特許文献２には、複数枚の着脱可能なシートからなり、ユーザーが頁順および文字や絵の配置を自由に変更できる風呂用玩具が開示されている。
【０００５】
また、いわゆる教育的配慮のある絵本として、特許文献３及び特許文献４に開示されている絵本が存在する。特許文献３には、裏表紙を除く各葉紙の一部を一連に刳り貫いて窓穴を開口形成し、その窓穴内に鳴物を設置した絵本が開示されている。また特許文献４には、絵本の物語の主人公等を模した音発生手段を表紙の窓孔から突出させた絵本が開示されている。
【０００６】
更に、立体的な構造を有する音発生手段を収納する手段を備えた絵本が、特許文献５に開示されている。この特許文献５では、絵本の裏表紙裏面に厚手のスペーサ部分が備えられ、このスペーサ部分に音発生手段を備える弾性変形体を収容することで部材の出っ張りを防止している。
【０００７】
【特許文献１】実公平１−１０８７６４
【特許文献２】実願平５−２８９４６
【特許文献３】実公平２−７６０６７
【特許文献４】特開平８−１０３５７５
【特許文献５】実用新案登録第３０８８２７５号
【考案の開示】
【考案が解決しようとする課題】
【０００８】
しかし、特許文献１及び特許文献２において開示されている絵本ないし玩具では、単に耐水性があり、熱による変化或いはユーザーによるページの並べ替えという点において新規であるというのみであり、必ずしも風呂場という特殊な場所における特性を十分に生かした知育に資するものとは言えなかった。
【０００９】
また、特許文献３及び特許文献４において開示されている技術では、鳴物ないし音発生手段は露出されており、水中で使用すれば壊れてしまうことから、これらの絵本を入浴中に使用することは困難であった。
【００１０】
また、特許文献５に開示されている技術においては、音発生手段を収納するスペーサ部分が却って無駄な厚みとなり、絵本全体として必要以上にかさばるという問題が生じていた。
【課題を解決するための手段】
【００１１】
上記において述べた課題を解決すべく、本考案は下記に述べるものを提供する。
【００１２】
（１）耐水性を備えかつ柔軟性を備えた素材からなるシートを重ね併せ、縁部を溶着して密封袋を構成し、前記密封袋の中には薄板状のスポンジを封入してなるページ体を、複数枚綴ってなる耐水性絵本であって、前記複数枚のページ体の外表面又は内表面には絵本の内容に応じた文字や絵が描かれており、前記ページ体のうち少なくとも１枚には、前記薄板状のスポンジに加え、中空部を有し弾性復元性を有する素材からなる空気だまり部と、前記空気だまり部に備えられた通気口に連接され、前記空気だまり部の押圧又は押圧後の復元により生じる前記通気口を通じた前記空気だまり部からの空気の排出又は前記空気だまり部への空気の流入により音を発生する発音部材とからなる笛が封入されていることを特徴とする耐水性絵本。
【００１３】
この構成によれば、笛がページ体の中に封入されていることから、湯船の中に漬けても笛が壊れることなく本来の効用を果たすことができる。殊に音が強く反響する風呂場の中での音の伝わり具合を、幼児は、自らの手で触り、自らの耳で聞くことにより体感することができる。またページ体の中に板上のスポンジが封入されているため、湯船の中でも浮き、幼児が取り扱いやすい。
【００１４】
なおここで、「耐水性を備えかつ柔軟性を備えた素材」としては、例えばＥＶＡ（エチレン・ビニル・アセテート樹脂）素材、塩化ビニール、ＰＥＴ、ＰＥ（ポリエチレン）、ＰＰ（ポリプロピレン）などを用いることができる。また、「弾性復元性を有する素材」としては、例えば、プラスチック、シリコン、ＰＥＴなど任意の素材を用いることができる。また「溶着」は、ページ体の内外で水分を遮断する態様であれば、高周波溶着、熱溶着、超音波溶着等種々の方法が可能である。
【００１５】
（２）前記笛が封入されているページ体以外の少なくとも１枚のページ体に、中空部を有し弾性復元性を有する素材からなる水たまり部と、一方端が前記水たまり部に連接された管部とからなるスポイトが、該スポイトが封入されているページ体の縁部を溶着する際に複数枚の前記シートが前記管部の外壁の一部又は全部を挟み込んで密着し、かつ管部の他方端が外部に露出するように溶着される形で封入されていることを特徴とする、（１）に記載の耐水性絵本。
【００１６】
この構成によれば、絵本を単に読み物として用いるだけでなく、あたかも水鉄砲のように用いることもできるため、お風呂場という特殊な場面を十分に活用した知育を行うことができる。更にこの構成を絵本の物語の内容と関連付ければ、幼児の注意力をより強くひきつけることができるため、物語の内容にも一層興味を持つという相乗効果が期待できる。またスポイトと笛とが別のページ体に封入されていることにより、仮にスポイトの破損などによりページ体の中に水が流入することがあっても、笛部材が壊れることはない。
【００１７】
（３）前記空気だまり部と前記水たまり部とは、該耐水性絵本を閉じた状態にあっては、重なり合う各ページ体に直交する方向において重ならない位置に配されていることを特徴とする、（２）に記載の耐水性絵本。
【００１８】
この構成によれば、かさばる部材である笛とスポイトとが、絵本を閉じた状態にあっても互い違いに位置する。ページ体の表面及びページ体に封入されているスポンジはいずれも柔軟性を有しているため、変形することで笛やスポイトの嵩を一定程度吸収し、表表紙及び裏表紙の外側への出っ張りを軽減することができる。
【００１９】
また絵本の物語の内容に応じて、笛をページ体の略中央に設け、スポイトをページ体の天と前小口とが交差する角の近傍に設けることも可能である（請求項４）。
【００２０】
そして、請求項５に記載のように、笛が封入されたページ体とスポイトが封入されたページ体とが、各々表表紙と裏表紙のいずれかを構成することにより、間に挟まれるそれ以外のページ体が増え、笛及びスポイトの嵩をより吸収することができる一方で、外観上出っ張りを視認することができるため、外観により幼児の興味をより強く惹くことができる。更には、請求項６に記載のように、笛が封入されたページ体およびスポイトが封入されたページ体に封入されている薄板状のスポンジをそれ以外のページ体に封入されている薄板状のスポンジよりも厚手のものとすることにより、封入された笛及びスポイトの出っ張りを軽減することができる。
【考案の効果】
【００２１】
このように、本考案によれば、日常の生活空間とは一線を画する、風呂場という特殊な空間における絵本による知育を、その特殊性を十分に生かした形で行うことができる。すなわち、水の中でも鳴らすことができる笛を備えていることにより、幼児は音の反響の面白さを体感しながら絵本の物語の世界により強い興味を注ぐこととなり、知育効果が向上する。また、水がふんだんにあるお風呂場の特殊性を生かしうる部材であるスポイトを備えていることにより、幼児は水遊びをしながら絵本を楽しむことができ、保護者としても、目に見える実際の水の動きとともに物語を読み聞かせることができ、教育的視点からは大いなる助けとなる。
【００２２】
また笛とスポイトとを別異のページ体に備えることで、頻繁に水の吸入排出を行なうスポイトを備えたページ体において仮に水分がページ体内部に浸食するようなことがあっても、笛の効用は失われることがない。更には、笛とスポイトとが、ページ体の各面と直交する方向において重ならない位置に配されていることにより、表表紙或いは裏表紙から外側への出っ張りを一定程度抑止することができ、本棚への収納や書店等での梱包及び搬送の場面において不必要に嵩張らず、収納効率、流通効率の向上を図ることができる。
【００２３】
そして、この外側への出っ張りの抑止は、ページ体のシート及び封入されたスポンジの柔軟性に起因するものであることから、これら出っ張りの原因となる笛或いはスポイトを封入したページ体を、表表紙或いは裏表紙に配することにより、外観的には視認可能な程度の凹凸は保たれる。これにより、幼児としてはこの凹凸が何であるのか興味を惹かれることとなり、保護者としても絵本を読み聞かせる契機として活用することができる点で優れた効果を発揮する。
【考案を実施するための最良の形態】
【００２４】
以下、本考案による耐水性絵本の実施例を、図面を交えつつ説明する。図１は、本考案に係る耐水性絵本を開いた状態における斜視図である。絵本１は、複数枚のページ体２が背表紙１１において溶着されることにより綴られて構成されている。なお本実施例においては綴る手法として溶着を採用しているが、これに限られず、例えばページ体２の背表紙側に所定の間隔で複数の通孔を設け、これを紐で結び合わせ、あるいは複数のリング状の部材を用いて綴るようにしてもよい。
【００２５】
ここでページ体２は、２枚のＥＶＡ（エチレン・ビニル・アセテート樹脂）素材からなるシート３を、各々の縁部を溶着することにより形成される扁平形状の密封袋の中に、薄い板状のスポンジ４を予め封入して構成されている。このページ体２の内表面には、絵本の物語を表す文字や絵が印刷されている。この絵本１は主として湯船の中で使用されることを想定していることから、外部からの水分の付着が繰り返し生じたとしても印刷されたインクが剥げたり劣化したりしないように、密封袋の内側から印刷を行っている。もっとも、本考案の実施形態としてはこれに限られず、外表面から印刷を行っても良い。
【００２６】
また、スポンジ４には無数の気泡が存在し、ページ体２はこれを密封する形で封入している。従って、ページ体２は水に浮きやすい構造になっている。これにより、絵本を湯船の中で手放してしまったとしても底に沈むことがなく、浴室内で幼児がおぼれるといった不慮の事故を未然に防止することができる。
【００２７】
この絵本１の表表紙２１を構成するページ体２には、笛５が封入されている。図２にも示されている通り、笛５は、中空部を有し外壁が弾性復元性を有する素材からなる空気だまり部５ａと、この空気だまり部５ａの一部に配され後述する発音部材５ｃと連接する役割を果たす通気口５ｂと、通気口５ｂを介して空気だまり部５ｃが押圧されることにより中空部に溜まっていた空気が排出され、あるいは押圧が解かれることにより空気だまり部５ａが復元するのに伴って生じる通気口５ｂへの空気の流入により音を発する発音部材５ｃとから構成されている。
【００２８】
図２は、図１に示した表表紙２１を構成するページ体２を正面から見た図である。図２（ａ）から明らかな通り、笛５は、通気口５ｂ及び発音部材５ｃが絵本の天１２方向に向いた状態でページ体２の略中央に位置している。なおこの笛５の位置決めにあたっては、ページ体２に封入されているスポンジ４の中央部分を笛５の形状に合わせて刳り貫き、その刳り貫き部分に嵌合するように封入している。また、本実施例においては、空気だまり部５ａの形状は扁平した球状としているが、これに限られるものではなく任意の形状を採用しうる。
【００２９】
図２（ｂ）は、図２（ａ）で示した表表紙２１に実際の絵及び文字を印刷した状態を表したものである。本実施例において、表紙にはパトカーの絵が描かれており、破線で示した笛５が印刷されたパトカーの絵のボンネット部分と重なるように構成されている。したがって、幼児が空気だまり部５ａを押圧することで中の空気が通気口５ｂを介して排出され、発音部材５ｃを空気が通過して笛５が鳴ることにより、あたかもパトカーのクラクションを鳴らしているかのような空想を掻き立てられ、幼児の創造力を育むことができる。また、読み聞かせる保護者も、実際に音が発せられることにより読み聞かせの工夫にバリエーションを加えることができる。またこの絵本１は主としてお風呂場での使用を想定しており、音が浴室内で反響する様子を幼児に体感させる点においても教育的効果が期待できる。
【００３０】
図３は、この絵本１のうち、スポイト６が封入されているページ体２を表したものである。図３（ａ）に図示するように、スポイト６は、中空部を有し弾性復元性を有する素材からなる水たまり部６ａと、一方端がこれに連接された管部６ｂとから構成されている。上述の通りページ体２は、ＥＶＡ等の素材からなるシート３を重ね合わせ、周縁部を溶着することで構成されている（図中ハッチングを施した部分がシート３同士が溶着されている部分である）。その溶着の際に、管部６ｂを挟み込み、開放されている他方端がページ体２の天１２側から外部に露出するように溶着されている。その際管部６ｂを固定し、かつページ体２の内部に水分が流入することを防止するために、管部６ｂを挟み込んで溶着する際、その周囲に溶着面７を設けている。これにより、管部６ｂが固定される結果、スポイト６の位置決めがされる。また同時にページ体２への水分の流入を防ぐことができる。
【００３１】
図３（ｂ）は、図３（ａ）で示したページ体２に、絵及び文字を印刷した状態を表したものである。ここでは、消火活動を行う消防車の絵が描かれており、管部６ｂの外部に露出した端と絵の中の消防車の排水する様を描いた位置とが重なるように描かれている。したがって、幼児がスポイト６を用いて水を吸入排出することによりスポイト６から水が勢いよく飛び出し、実際の消防車が消火活動をしているかのような空想を掻き立てられ、幼児の創造力の発育に役立ち、また大人も一緒に楽しむことができる。
【００３２】
図４は、本考案に係る絵本１を閉じた状態における正面図であり、図５（ａ）及び図５（ｂ）は、それぞれ図４におけるＡ−Ａ断面図及びＢ−Ｂ断面図である。図２及び図４からも明らかな通り、笛５は表表紙２１を構成するページ体２のページ内略中央に封入されている。一方図３及び図４からも明らかな通り、スポイト６はこれと異なるページ体２であって、裏表紙２２を構成するページ体２の、天１２と前小口１３とが交差する角１４の近傍に配されている。そして正面視した状態において、換言すれば重なり合う各ページ体２・・・２の面に直交する方向（図５の矢印Ｄの方向）において、笛５とスポイト６とは重ならない位置に配されている。これにより、各々中空部を有する空気だまり部５ａ及び水たまり部６ａの嵩張り部分が重ならず、本を閉じた状態すなわち収納する状態において絵本１自体が過度に嵩張ることを防止することができる。
【００３３】
また、前述の通り絵本１を構成する各ページ体２・・・２は、シート３及びスポンジ４とも柔軟性を有している。従って絵本１を閉じた状態にあっては、図５（ａ）に図示するように、空気だまり部５ａの嵩張りは間に挟まれた複数のページ体２・・・２が変形することにより一定程度吸収される。同様に図５（ｂ）に図示するように、水たまり部６ａの嵩張りも間に挟まれた複数のページ体２・・・２が変形することにより一定程度吸収される。
【００３４】
このように、笛５及びスポイト６を各々表表紙２１及び裏表紙２２を構成する各ページ体２に封入するようにしたことにより、搬送、梱包、収納の際に不都合が生じない程度に絵本表面の出っ張りを防止する一方である程度の凹凸を視認可能な程度に残している。これにより、幼児が絵本により強い興味を惹かれるようになる。
【００３５】
また、本実施例においては、全てのページ体２・・・２に封入されているスポンジ４の厚さを同じものとしたが、これに限らず、例えば図６（ａ）及び図６（ｂ）に示したように、笛５を封入したページ体２とスポイト６を封入したページ体２については、中に封入するスポンジ４の厚さを他のページ体２・・２のスポンジ４よりも厚手のもので構成することもできる。これにより、笛５及びスポイト６の厚みを、封入するページ体２自体の厚さで吸収することができ、また表表紙２１及び裏表紙２２を構成するページ体２がそれ以外のページ体２に比べて重量感が増し、安定感が得られる。
【００３６】
なお、本実施例においては笛５を封入したページ体２が表表紙に、スポイト６を封入したページ体２が裏表紙になるよう構成しているが、これに限らず、表表紙と裏表紙とを相互に入れ替えた構成にしても良い。更には、笛５及びスポイト６を封入するページ体２は、表表紙或いは裏表紙以外に配されていてもよく、また笛５あるいはスポイト６は各々一体である必要はなく、複数であっても良い。
【００３７】
また、本実施例においては笛５とスポイト６とは別異のページ体２に封入された例を説明したが、例えば同一のページ体２に封入してもよい。この場合、笛５とスポイト６との間に仕切りを設けることにより、万一スポイト６から水が浸食したとしても、笛５の機能を毀損することがない。
【図面の簡単な説明】
【００３８】
【図１】本考案に係る耐水性絵本の、開いた状態における斜視図である。
【図２】（ａ）は本考案に係る耐水性絵本の、表表紙の図であり、（ｂ）は（ａ）に絵及び文字を印刷した状態における図である。
【図３】（ａ）は本考案に係る耐水性絵本の、スポイトが封入されているページ体を開いた状態における図であり、（ｂ）は（ａ）に絵及び文字を印刷した状態における図である。
【図４】本考案に係る耐水性絵本の、閉じた状態における正面図である。
【図５】（ａ）は図４におけるＡ−Ａ断面図であり、（ｂ）は図４におけるＢ−Ｂ断面図である。
【図６】（ａ）は、図４におけるＡ−Ａ断面図であり、（ｂ）は図４におけるＢ−Ｂ断面図である。
【符号の説明】
【００３９】
１  絵本
２  ページ体
３  シート
４  スポンジ
５  笛
５ａ  空気だまり部
５ｂ  通気口
５ｃ  発音部材
６  スポイト
６ａ  水たまり部
６ｂ  管部
７  溶着面  
１１  背表紙
１２  天
１３  前小口
１４  角
２１  表表紙
２２  裏表紙
【図１】
0003122359.tif 000003
【図２】
0003122359.tif 000004
【図３】
0003122359.tif 000005
【図４】
0003122359.tif 000006
【図５】
0003122359.tif 000007
【図６】
0003122359.tif 000008